(57)【特許請求の範囲】
【請求項１】
生命体の鼻部に体外から接触し振動を電気信号に変換する振動センサと、
前記生命体の頭部に装着される頭部装着部と、
前記頭部装着部から下方に延びて前記振動センサを前記鼻部に向けて支持するセンサ支持部と、
を備え、
前記頭部装着部は、
センサ支持部と連結され、且つ、装着時に前記生命体の額の上側に凸になるよう湾曲させた中央部と、
前記中央部の両端に接続され、前記生命体の耳にかからず、且つ、耳の上部の側頭部に位置するよう設けられた両端部と、
を有する骨伝導マイク。
【請求項２】
前記センサ支持部は、
前記頭部装着部に連結された上端から、前記生命体の前記頭部の眉間の前方を通って下方へ延びることで、前記振動センサを支持する、
請求項１に記載の骨伝導マイク。
【請求項３】
生命体の鼻部に体外から接触し振動を電気信号に変換する振動センサと、
前記生命体の頭部に装着される頭部装着部と、
前記頭部装着部から下方に延びて前記振動センサを前記鼻部に向けて支持するセンサ支持部と、
を備え、
前記頭部装着部は、
前記頭部に装着される頭部装着部本体と、
前記頭部装着部本体に、装着時に側頭部近傍に位置する左右両端部が連結されることで、装着時に中央部が前記生命体の頭部の額の前方に非接触で浮いた状態となるよう支持され、且つ、前記センサ支持部の上端が連結された支持ベース部材と、
を有する骨伝導マイク。
【請求項４】
前記支持ベース部材の両端部が、前記頭部装着部本体に上下方向に回動自在に連結されている、
請求項３に記載の骨伝導マイク。
【請求項５】
前記支持ベース部材に対し前記センサ支持部が上下方向に回動可能に連結されている、
請求項３または４に記載の骨伝導マイク。
【請求項６】
前記センサ支持部は湾曲自在とされており、前記センサ支持部の中に、前記振動センサから前記頭部装着部まで前記電気信号を伝送する導線が通されている、
請求項１〜５のいずれか１項に記載の骨伝導マイク。
【請求項７】
前記センサ支持部は、下端部に、下方に延在する２本のアームを閉じる方向の付勢力を発生するクリップ、を備え、
前記クリップの前記２本のアームの先端に、前記鼻部の左右に接触する左右の前記振動センサがそれぞれ取り付けられている、
請求項４または５に記載の骨伝導マイク。
【請求項８】
生命体の鼻部に体外から接触し振動を電気信号に変換する振動センサと、
前記生命体の頭部に装着される頭部装着部と、
前記頭部装着部から下方に延びて前記振動センサを前記鼻部に向けて支持するセンサ支持部と、
前記頭部装着部に連結され、振動により音声信号を出力する骨伝導スピーカと、
を備え、
前記頭部装着部は、
センサ支持部と連結され、且つ、装着時に前記生命体の額の上側に凸になるよう湾曲させた中央部と、
前記中央部の両端に接続され、前記生命体の耳にかからず、且つ、耳の上部の側頭部に位置するよう設けられた両端部と、
を有する骨伝導ヘッドセット。
【請求項９】
生命体の鼻部に体外から接触し振動を電気信号に変換する振動センサと、
前記生命体の頭部に装着される頭部装着部と、
前記頭部装着部から下方に延びて前記振動センサを前記鼻部に向けて支持するセンサ支持部と、
前記頭部装着部に連結され、振動により音声信号を出力する骨伝導スピーカと、
を備え、
前記頭部装着部は、
前記頭部に装着される頭部装着部本体と、
前記頭部装着部本体に、装着時に側頭部近傍に位置する左右両端部が連結されることで、装着時に中央部が前記生命体の頭部の額の前方に非接触で浮いた状態となるよう支持され、且つ、前記センサ支持部の上端が連結された支持ベース部材と、
を有する骨伝導ヘッドセット。
【発明の詳細な説明】
【技術分野】
【０００１】
本開示は、骨伝導マイク及び骨伝導ヘッドセットに関する。
【背景技術】
【０００２】
人が声を発すると、声帯が振動し、口腔共鳴や鼻腔共鳴が発生する。人の声を収音するマイクとして、音声マイクと骨伝導マイクが知られている。音声マイクは、音声を空気振動として検出し、電気信号に変換する。骨伝導マイクは、本人の発する声を、口腔共鳴による顎骨上の皮膚や鼻腔共鳴による鼻骨上の皮膚の振動として検出して、電気信号に変換する。近年、周囲の騒音に左右され難い骨伝導マイクが注目されるようになってきた。【０００３】
特許文献１に、鼻骨上の皮膚の振動を、メガネの鼻当て部分に組み込んだ振動センサでピックアップして電気信号に変換する骨伝導マイクを搭載したハンズフリー通話ユニット（以下、「骨伝導マイク付きメガネ」ともいう）が開示されている。
【先行技術文献】
【特許文献】
【０００４】
【特許文献１】特開平８−２９８６９４号公報
【発明の概要】
【０００５】
本開示は、人体がメガネを装着する場合でも、骨伝導マイクを別途装着でき、鼻骨上の皮膚の振動の検出精度の低下を抑制できる骨伝導マイク及び骨伝導ヘッドセットを提供する。
【０００６】
本開示の一態様は、生命体の鼻部に体外から接触し振動を電気信号に変換する振動センサと、前記生命体の頭部に装着される頭部装着部と、前記頭部装着部から下方に延びて前記振動センサを前記鼻部に向けて支持するセンサ支持部と、を備える骨伝導マイク、である。
【０００７】
本開示の別の一態様は、生命体の鼻部に体外から接触し振動を電気信号に変換する振動センサと、前記生命体の頭部に装着される頭部装着部と、前記頭部装着部から下方に延びて前記振動センサを前記鼻部に向けて支持するセンサ支持部と、前記頭部装着部に連結され、振動により音声信号を出力する骨伝導スピーカと、を備える骨伝導ヘッドセット、である。
【０００８】
本開示によれば、生命体がメガネを装着する場合でも、骨伝導マイクを別途装着でき、鼻骨上の皮膚の振動の検出精度の低下を抑制できる。
【図面の簡単な説明】
【０００９】
【図１】第１実施形態の骨伝導マイクの装着状態を示す斜視図
【図２】第２実施形態の骨伝導マイクの装着状態を示す斜視図
【図３】第３実施形態の骨伝導マイクの装着状態を示す斜視図
【図４】第３実施形態の骨伝導マイクの非装着時の状態を示す正面図
【図５Ａ】第３実施形態の骨伝導マイクにおける頭部装着部本体と支持ベース部材の連結部の構成を示す図であり、外側（表側）から見た斜視図
【図５Ｂ】第３実施形態の骨伝導マイクにおける頭部装着部本体と支持ベース部材の連結部の構成を示す図であり、内側（裏側）から示す斜視図
【図６Ａ】第３実施形態の骨伝導マイクにおける二股のクリップの構成を示す概略図であり、非装着時にクリップの２つのアームがバネ力により閉じている状態を示す正面図
【図６Ｂ】第３実施形態の骨伝導マイクにおける二股のクリップの構成を示す概略図であり、装着時にクリップの２つのアームがバネ力に反して開いている状態を示す正面図
【図７】第４実施形態の骨伝導マイクの非装着時の状態を示す正面図
【図８】第５実施形態として、第２実施形態の骨伝導マイクをベースにして構成した骨伝導ヘッドセットの装着状態を示す斜視図
【発明を実施するための形態】
【００１０】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。尚、添付図面及び以下の説明は、当業者が本開示を十分に理解するために提供されるものであり、これらにより請求の範囲に記載の主題を限定することは意図されていない。
【００１１】
（本開示の一形態を得るに至った経緯）
特許文献１に記載の骨伝導マイクを搭載したハンズフリー通話ユニットは、メガネの鼻当て部分に振動センサを組み込んでいるので、メガネを掛ける感覚で装着することができ、装着しやすい利点がある。しかし、予め矯正用メガネや防塵用メガネなどの別のメガネを掛けた人が骨伝導マイク付きメガネを利用しようとすると、別のメガネと骨伝導マイク付きメガネとの位置が重複するので、双方の装着は難しい。仮に別のメガネと骨伝導マイク付きメガネの双方を装着した場合、別のメガネの上方又は下方から重ねて骨伝導マイク付きメガネを掛けることになるので、別のメガネの鼻当て部分と骨伝導マイク付きメガネの鼻当て部分とが干渉する。そのため、骨伝導マイク付きメガネが鼻骨上の皮膚の振動を適正にピックアップすることが困難である。
【００１２】
つまり、別のメガネを掛ける必要がある人は、予め、骨伝導マイク付きメガネのフレームに、矯正用レンズや防塵用レンズを嵌め込んだ、専用の骨伝導マイク付きメガネを新たに用意する必要がある。従って、例えば別のメガネを掛ける必要のある人にとっては、特許文献１に記載のハンズフリー通話ユニットは、コストが余計にかかるようになるか、使い勝手が悪くなったりする。
【００１３】
以下の実施形態では、生命体がメガネを装着する場合でも、骨伝導マイクを別途装着でき、鼻骨上の皮膚の振動の検出精度の低下を抑制できる骨伝導マイク及び骨伝導ヘッドセットについて説明する。
【００１４】
（第１実施形態）
まず、第１実施形態の骨伝導マイクについて説明する。図１は、第１実施形態の骨伝導マイクの装着状態を示す斜視図である。図１では、上下、前後、左右の方向を示している。これらの方向は、人物から見た前後、上下、左右の方向に基づく。この上下、前後、左右の方向は、すべての実施形態で同じである。
【００１５】
図１に示すように、第１実施形態の骨伝導マイク１は、装着者（人体）２００の顔面２０２の中央の鼻部２０５に体外から接触し、鼻骨上の皮膚の振動を電気信号に変換する左右の振動センサ１５を備える。骨伝導マイク１は、鼻部２０５より上の頭部２０１に装着される頭部装着部としてのヘッドバンド１１を備える。骨伝導マイク１は、ヘッドバンド１１の左右方向の中央部１１ａから下方に延びて左右の振動センサ１５を鼻部２０５に向けて支持するセンサ支持部としての２本のセンサ支持ワイヤ１３と、を備える。なお、人体は、生命体の一例であり、他の生命体（例えば動物）でもよい。
【００１６】
ヘッドバンド１１は、弾力を持ったＣ字形の頭部装着具で、Ｃ字の開いた部分を広げながら、中央部１１ａを額２０３の上の前頭部に位置させつつ、左右方向の端部１１ｂ（両端部）を耳の後ろの側頭部に来るように装着する。これにより、ヘッドバンド１１は、左右方向の端部１１ｂ（両端部）の間隔が狭まろうとする弾力によって、頭部２０１に確実に装着される。ヘッドバンド１１は、樹脂や金属で製作することができる。ここでは一例として、ヘッドバンド１１は、装着性や重量を考慮して、樹脂で形成されている。
【００１７】
２本のセンサ支持ワイヤ１３は、ヘッドバンド１１の左右方向の中央部１１ａに各上端が連結されることで、眉間２０４の前方を通って下方へ延びるように垂下されている。そして、２本のセンサ支持ワイヤ１３の下端に、それぞれ左右の振動センサ１５が取り付けられている。つまり、振動センサ１５は、鼻部の左側に接触する振動センサと、鼻部の右側に接触する振動センサと、を含む。
【００１８】
センサ支持ワイヤ１３は、屈曲変形又は湾曲変形自在で変形した形態を保持し得る構成とされている。これにより、振動センサ１５の位置や向きなどを容易に調節できるようになっている。センサ支持ワイヤ１３は、金属製でもよいし、弾力性のある樹脂製とされてもよい。
【００１９】
ヘッドバンド１１の左右方向の端部１１ｂのうちの片方の端部（図示例では、左耳の上に位置する左側の端部）には、電子回路である無線モジュール２５や電源であるバッテリ２６が内蔵されている。無線モジュール２５は、バッテリ２６から給電されることで動作し、振動センサ１５の検出信号を無線で外部（例えば骨伝導マイク１の近くに存在するスマートフォン）に送信する機能を有する。無線モジュール２５の例としては、ＢＬＥ（Bluetooth（登録商標） Low Energy）モジュールつまりBluetooth（登録商標）用の無線モジュール）、ＮＦＣ（Near Field Communication）モジュールつまり近距離通信用のモジュール、無線ＬＡＮ（Local Area Network）モジュール、等を任意に採用することができる。なお、ヘッドバンド１１における無線モジュール２５やバッテリ２６の配置位置は任意であり、例えば、左右方向の中央部１１ａの付近に無線モジュール２５やバッテリ２６が配置されてもよい。
【００２０】
振動センサ１５から無線モジュール２５までの信号伝送用の導線２１、２２は、センサ支持ワイヤ１３やヘッドバンド１１の中を通されている。センサ支持ワイヤ１３は、例えば、細いチューブにより構成されており、チューブの中に、それぞれ振動センサ１５に繋がる導線２１が通されている。センサ支持ワイヤ１３のチューブの上端を出た２本の導線２１は、１本の導線２２に纏められて、ヘッドバンド１１の中空部などを通って、無線モジュール２５に接続されている。
【００２１】
なお、配線の仕方については、導線２１、２２をセンサ支持ワイヤ１３やヘッドバンド１１の中に通す方法以外に、任意に選択することができる。例えば、センサ支持ワイヤ１３自体を、金属製のワイヤで構成して導線２１の機能を兼ねるようにしてもよい。また、ヘッドバンド１１の表面に配線のメッキ等を形成してもよい。
【００２２】
次に、作用を説明する。
【００２３】
この骨伝導マイク１を使用する場合は、図１に示すように、ヘッドバンド１１を頭部２０１に装着し、センサ支持ワイヤ１３の下端に支持された左右の振動センサ１５を鼻部２０５の鼻骨のある箇所の左右の皮膚面に押し当てる。これにより、左右の振動センサ１５は、鼻骨の両側から鼻部２０５を摘まむように挟み込む。
【００２４】
この状態で、装着者２００が発声すると、発声による振動が鼻腔に伝わり、鼻骨上の皮膚の振動が、鼻部２０５に押し当てられた振動センサ１５によって検出される。そして、検出された信号（検出信号）が、無線モジュール２５に伝送され、必要に応じて処理が施された後に、無線モジュール２５等を介して、外部のスマートフォン等の通信端末に送信される。
【００２５】
この骨伝導マイク１は、図１に示すように、装着者２００が矯正用などのメガネＭを掛けていても、その上からメガネＭの邪魔にならないように装着することができる。つまり、メガネＭのフレームを避けてセンサ支持ワイヤ１３が振動センサ１５を鼻部２０５に当てるので、骨伝導マイク１は、メガネＭを掛けているか否かに拘わらず装着可能である。また、骨伝導マイク１は、両目の真ん中をセンサ支持ワイヤ１３が通過することになるので、視界を制限することを極力抑制できる。
【００２６】
また、骨伝導マイク１は、センサ支持ワイヤ１３の曲げ具合を調節することで、振動センサ１５が鼻部２０５に当たる位置や向きを調整することができる。これにより、骨伝導マイク１は、装着者２００がメガネＭを掛けていても、メガネＭの鼻当て部分に振動センサ１５が干渉することを回避することができる。従って、振動センサ１５の検出精度の低下を抑制できる。
【００２７】
また、骨伝導マイク１は、センサ支持ワイヤ１３に調整機能を持たせることで、鼻部２０５の位置やサイズに合わせて振動センサ１５を感度の高い位置に密着させることができ、適切に鼻骨上の皮膚の振動をピックアップすることができる。
【００２８】
また、センサ支持ワイヤ１３の中に導線２１を通しているので、導線２１を外から見えないように隠すことができ、見栄えを良くすると共に、導線２１が視界の一部を遮断することを抑制できる。
【００２９】
（第２実施形態）
次に、第２実施形態の骨伝導マイクについて説明する。図２は、第２実施形態の骨伝導マイクの装着状態を示す斜視図である。
【００３０】
図２に示すように、第２実施形態の骨伝導マイク２の、図１に示した第１実施形態の骨伝導マイク１との違いは、センサ支持ワイヤ１３とヘッドバンド１１との間に支持フレーム１２（支持ベース部材の一例）を設けたことである。支持フレーム１２は、左右方向に長いＣ字形に湾曲した棒状の部材で、左右方向の端部１２ｂが、ヘッドバンド１１の左右方向の端部１１ｂの近傍に連結されている。
【００３１】
これにより、ヘッドバンド１１を頭部２０１に装着した際に、支持フレーム１２の左右方向の中央部１２ａが額２０３の前方に非接触で浮いた状態に支持されるようになっている。そして、下端に振動センサ１５の取り付けられた左右のセンサ支持ワイヤ１３の各上端が、支持フレーム１２の中央部１２ａに連結されている。ここでは、ヘッドバンド１１と支持フレーム１２が、頭部装着部１０を構成しており、ヘッドバンド１１が頭部装着部本体に相当している。なお、支持フレーム１２は、金属製でもよいし、軽量化や製作性の観点などから樹脂製とされてもよい。
【００３２】
骨伝導マイク２においても、振動センサ１５で検出された信号が伝送される２本の導線２１が、それぞれセンサ支持ワイヤ１３の中を通り、支持フレーム１２の中で１本にまとめられて、支持フレーム１２の中央部１２ａから連結部を介してヘッドバンド１１の左側端部に内蔵してある無線モジュール２５に接続されている。
【００３３】
この骨伝導マイク２を装着者が装着した場合、額２０３の前方に非接触で浮いた状態となる支持フレーム１２に、センサ支持ワイヤ１３の上端が連結されているので、頭部装着部１０において生じる可能性のある装着部位の擦過音などの振動が、センサ支持ワイヤ１３を通して振動センサ１５に伝わり難くなる。そのため、骨伝導マイク２は、雑音を拾いにくくなり、鼻骨振動の検出精度の向上が図れる。
【００３４】
また、骨伝導マイク２は、額２０３の前方にせり出した支持フレーム１２の中央部１２ａからセンサ支持ワイヤ１３を垂下させる。この場合、鼻部２０５の真上から顔面２０２に平行にセンサ支持ワイヤ１３を垂下させる場合とは異なり、骨伝導マイク２は、額２０３の前方から鼻部２０５に向かって、つまり、顔面２０２の前方から徐々に顔面に近づく方向（後方）に向かって、傾斜を付けてセンサ支持ワイヤ１３を垂下させることができる。従って、骨伝導マイク２では、鼻部２０５に対して振動センサ１５をより適切に押し付けやすくなる。
【００３５】
また、センサ支持ワイヤ１３の上端が、額２０３の前方に位置する支持フレーム１２に連結されているので、支持フレーム１２から振動センサ１５まで延びるセンサ支持ワイヤ１３の長さを短くすることができる。例えば、センサ支持ワイヤ１３を細いチューブ状のワイヤで構成した場合、長くなると強度が弱くなり、振動センサ１５の鼻部２０５への押し付けが不適切になる可能性を生じる。これに対し、骨伝導マイク２は、センサ支持ワイヤ１３の長さを短くできることで、センサ支持ワイヤ１３の強度の低下を抑制できる。言い換えると、センサ支持ワイヤ１３の長さが短くなることで、骨伝導マイク２は、センサ支持ワイヤ１３をより細いワイヤで構成できることになり、視界の邪魔になることをより抑制できる。
【００３６】
なお、無線モジュール２５及びバッテリ２６は、第１実施形態と同様にヘッドバンド１１に設けてもよいし、支持フレーム１２に設けてもよい。
【００３７】
（第３実施形態）
次に、第３実施形態の骨伝導マイクについて説明する。図３は、第３実施形態の骨伝導マイクの装着状態を示す斜視図である。図４は、骨伝導マイクの非装着時の状態を示す正面図である。図５Ａは、骨伝導マイクにおける頭部装着部本体と支持ベース部材の連結部の構成を示す図であり、外側（表側）から見た斜視図である。図５Ｂは、骨伝導マイクにおける頭部装着部本体と支持ベース部材の連結部の構成を示す図であり、内側（裏側）から示す斜視図である。図６Ａは、骨伝導マイクにおける二股のクリップの構成を示す概略図であり、非装着時にクリップの２つのアームがバネ力（弾性力）により閉じている状態を示す正面図である。図６Ｂは、骨伝導マイクにおける二股のクリップの構成を示す概略図であり、装着時にクリップの２つのアームがバネ力に反して開いている状態を示す正面図である。
【００３８】
図３及び図４に示すように、第３実施形態の骨伝導マイク３の、図２に示した第２実施形態の骨伝導マイク２との違いは、下記２点を含む。具体的には、２本のセンサ支持ワイヤ１３の代わりに１本のセンサ支持ロッド１６を設け、センサ支持ロッド１６の下端に、二股のクリップ１７を介して振動センサ１５を取り付けた点である。また、支持フレーム１２の左右方向の端部１２ｂ（両端部）をヘッドバンド１１に上下方向に回動可能に連結した点、である。
【００３９】
図５Ａ及び図５Ｂに詳細を示すように、支持フレーム１２の左右方向の端部１２ｂは、頭部装着部本体であるヘッドバンド１１の左右方向の端部１１ｂの近傍に連結ピン１８を介して上下方向（矢印Ａ方向）に回動自在に連結されている。これにより、図４に示すように、骨伝導マイク３は、支持フレーム１２の中央部１２ａの位置を、上下方向（矢印Ｂ方向）に調節することができる。
【００４０】
センサ支持ロッド１６は、湾曲自在とされており、上端が支持フレーム１２の中央部１２ａに一体に連結されている。センサ支持ロッド１６は、支持フレーム１２と一体に樹脂成形されてよい。センサ支持ロッド１６の下端には、図６Ａに示すように、二股のクリップ１７が設けられている。クリップ１７は、下方に延在する２本のアーム１７ａを有し、２本のアーム１７ａを閉じる方向の付勢力Ｆを発生する。そして、クリップ１７の２本のアーム１７ａのそれぞれの先端に、鼻部２０５の左右に接触する左右の振動センサ１５が取り付けられている。ここで、センサ支持ロッド１６及び二股のクリップ１７によりセンサ支持部が構成される。
【００４１】
振動センサ１５から出た導線２１は、クリップ１７の各アーム１７ａの中を通り、センサ支持ロッド１６の内部で１本の導線２２に纏められて、支持フレーム１２、連結ピン１８による回動連結部、ヘッドバンド１１に順番に通されて無線モジュール２５に接続されている。
【００４２】
骨伝導マイク３では、支持フレーム１２が上下方向に回動自在であり、センサ支持ロッド１６が湾曲自在である。よって、この骨伝導マイク３を装着者が装着した場合、骨伝導マイク３は、頭部２０１のサイズや鼻部２０５のサイズや位置に個人差があっても、支持フレーム１２の上下方向の位置調整、センサ支持ロッド１６の湾曲により、振動センサ１５を鼻部２０５の感度良好となる適切な位置に適切な方向から接触させることを容易にできる。
【００４３】
また、骨伝導マイク３は、付勢力Ｆを発生する二股のクリップ１７の各アーム１７ａの先端に振動センサ１５を取り付けているので、図６Ｂに示すように、振動センサ１５を鼻部２０５へ適切な押圧力をもって押し付けることができる。従って、骨伝導マイク３は、装着性が優れ、鼻骨上の皮膚の振動を適切に感度良く拾えるようになると共に、鼻部２０５のサイズに拘わらず、振動センサ１５の感度の個人差を小さくすることができる。
【００４４】
また、骨伝導マイク３は、センサ支持ロッド１６の中に導線２２を通すことで、導線２２を外から見えないように隠すことができ、振動センサ１５から出ている導線２１をセンサ支持ロッド１６の長さの範囲で容易に１本に集約することができる。
【００４５】
なお、骨伝導マイク３は、センサ支持ロッド１６を、金属ワイヤで構成してもよいし、クリップ１７をセンサ支持ロッド１６と一体に構成してもよい。
【００４６】
（第４実施形態）
次に、第４実施形態の骨伝導マイクについて説明する。図７は、第４実施形態の骨伝導マイクの非装着時の状態を示す正面図である。
【００４７】
図７に示すように、第４実施形態の骨伝導マイク４の、図３に示した第３実施形態の骨伝導マイク３との違いは、支持フレーム３２（支持ベース部材の一例）に対してセンサ支持ロッド１６を上下方向に回動可能に連結している点である。
【００４８】
支持フレーム３２は、中央で間隔を開けて左右のフレーム３２ａ、３２ａに分割されており、左右の分割端３２ｂ、３２ｂに軸受穴３２ｃ、３２ｃが設けられている。一方、センサ支持ロッド１６の上端がＴ字バー状に形成され、２本の左右に突き出した軸部１６ｃ、１６ｃが、左右のフレーム３２ａ、３２ａの各軸受穴３２ｃ、３２ｃに挿入されている。それにより、センサ支持ロッド１６が上下方向（矢印Ｄ方向）に回動自在に支持フレーム１２に対して連結されている。この場合、ヘッドバンド１１と支持フレーム３２が頭部装着部を構成しており、ヘッドバンド１１は頭部装着部本体に相当する。
【００４９】
振動センサ１５から出た導線２１は、二股のクリップ１７の各アーム１７ａの中を通り、センサ支持ロッド１６の内部で１本の導線２２に纏められて、軸部１６ａ及び軸受穴３２ｃを介して支持フレーム１２に導かれ、さらに連結ピン１８による回動連結部、ヘッドバンド１１に順番に通されて、無線モジュール２５に接続されている。なお、回動機構部分を経由せずに導線２２を配線してもよい。
【００５０】
この骨伝導マイク４を装着者が装着した場合、骨伝導マイク４は、センサ支持ロッド１６を上下方向に回動させることで、鼻部２０５のサイズや位置に個人差があっても、振動センサ１５を鼻部２０５の適切な位置に容易に接触させることができるようになる。つまり、骨伝導マイク４は、振動センサ１５を鼻部２０５に当てる位置や圧力を調整しやすくなる。
【００５１】
（第５実施形態）
次に、第５実施形態として骨伝導マイクを含むヘッドセットについて説明する。図８は、第５実施形態として、第２実施形態の骨伝導マイク２をベースにして構成した骨伝導ヘッドセット５の装着状態を示す斜視図である。なお、他の実施形態の骨伝導マイクをベースにして、骨伝導ヘッドセットが構成されてもよい。
【００５２】
図８に示すように、第５実施形態の骨伝導ヘッドセット５の、図２に示した第２実施形態の骨伝導マイク２との違いは、骨伝導スピーカ５０を追加して設けている点である。
【００５３】
骨伝導スピーカ５０は、耳の近くの骨のある部分、例えば、耳の前側あるいは後ろ側の部分に当てることができるように、ヘッドバンド１１の左側の端部からアーム５１を介して支持さている。骨伝導スピーカ５０は、無線モジュール２５と電気的に接続されており、無線モジュール２５から音声信号を取得し、音声信号に応じた振動を発生させることで、音声信号を出力する。
【００５４】
この骨伝導ヘッドセット５を装着者が装着した場合、骨伝導ヘッドセット５は、周りの雑音が大きい状況であっても、骨伝導スピーカ５０によって、骨伝導により装着者２００に目的の音をクリアに伝えることができる。
【００５５】
以上のように、上記実施形態で示した骨伝導マイク及び骨伝導ヘッドセットは、矯正用メガネや防塵用メガネなどを掛けていても、その上からメガネの邪魔にならないように装着することができる。また、骨伝導マイク及び骨伝導ヘッドセットは、振動センサ１５を鼻部の適正位置に当接でき、鼻腔共鳴時の鼻部の皮膚の振動を検出できる。
【００５６】
以上、図面を参照しながら実施形態について説明したが、本開示はかかる例に限定されないことは言うまでもない。当業者であれば、請求の範囲に記載された範疇内において、各種の変更例または修正例に想到し得ることは明らかであり、それらについても当然に本開示の技術的範囲に属するものと了解される。
【００５７】
上記の各実施形態の少なくとも一部は、他の実施形態と組み合わされてよい。
【００５８】
以上のように、上記実施形態の骨伝導マイクは、人体（生命体の一例）（例えば装着者２００）の鼻部２０５に体外から接触し鼻骨上の皮膚の振動を電気信号に変換する振動センサ１５と、鼻部より上の人体の頭部に装着される頭部装着部１０と、頭部装着部１０から下方に延びて振動センサ１５を鼻部２０５に向けて支持するセンサ支持部（例えばセンサ支持ワイヤ１３、下端にクリップ１７が設けられたセンサ支持ロッド１６）と、を備えてよい。
【００５９】
これにより、骨伝導マイクは、矯正用メガネや防塵用メガネなどを掛けていても、その上からメガネの邪魔にならないように装着可能である。つまり、骨伝導マイクは、装着者がメガネを掛けているか否かに拘わらず、装着可能である。また、骨伝導マイクは、振動センサ１５が鼻に当たる位置を調整することにより、メガネを掛けていても、メガネの鼻当て部分に振動センサ１５が干渉することを抑制できる。従って、骨伝導マイクは、振動センサ１５の検出精度の低下を抑制できる。また、骨伝導マイクは、センサ支持部に調整機能を持たせることにより、振動センサが鼻部に当たる位置を調整することができる。従って、骨伝導マイクは、鼻部２０５の位置やサイズに合わせて振動センサ１５を感度の高い位置に密着させることができ、適切に鼻骨上の皮膚の振動をピックアップすることができる。
【００６０】
また、センサ支持部は、頭部装着部１０に連結された上端から、人体の頭部２０１の眉間２０４の前方を通って下方へ延びることで、振動センサ１５を支持してよい。
【００６１】
これにより、骨伝導マイクは、両目の真ん中をセンサ支持部が通過することになるので、視界を制限することを極力抑制できる。
【００６２】
また、頭部装着部１０は、頭部２０１に装着される頭部装着部本体（例えばヘッドバンド１１）と、頭部装着部本体に、装着時に側頭部近傍に位置する左右方向の端部１１ｂ（両端部）が連結されることで、装着時に中央部１１ａが人体の頭部２０１の額２０３の前方に非接触で浮いた状態となるよう支持され、且つ、センサ支持部の上端が連結された支持ベース部材（例えば支持フレーム１２）と、を備えてよい。
【００６３】
これにより、装着時に額２０３の前方に非接触で浮いた状態となる支持ベース部材に、センサ支持部の上端が連結されているので、頭部装着部１０において生じる可能性のある装着部位の擦過音などの振動が、センサ支持部を通して振動センサ１５に伝わり難くなる。そのため、骨伝導マイクは、雑音を拾いにくくなり、鼻骨振動の検出精度の向上を図れる。また、骨伝導マイクは、額２０３の前方にせり出した支持ベース部材の中央部１２ａからセンサ支持部を垂下させるので、鼻の真上から顔面２０２に平行にセンサ支持部を垂下させることと違って、額２０３の前方から鼻に向かって、つまり、顔面２０２の前方から徐々に顔面２０２に近づく方向（後方）に向かって、傾斜を付けてセンサ支持部を垂下させることができる。従って、骨伝導マイクは、鼻部２０５に対して振動センサ１５を適切に押し付けやすくなる。
【００６４】
また、センサ支持部の上端が、額２０３の前方に位置する支持ベース部材に連結されているので、骨伝導マイクは、支持ベース部材から振動センサ１５まで延びるセンサ支持部の長さを短くすることができる。例えば、センサ支持部を細いチューブ状のワイヤで構成した場合、長くなると強度が弱くなり、振動センサ１５の鼻部２０５への押し付けが不適切になる可能性を生じる。これに対し、骨伝導マイクは、センサ支持部の長さを短くできることで、センサ支持部の強度の低下を抑制できる。言い換えると、骨伝導マイクは、センサ支持部の長さが短くなることで、センサ支持部をより細いワイヤで構成できることになる。
【００６５】
また、支持ベース部材の両端部が、頭部装着部本体に上下方向に回動自在に連結されてよい。
【００６６】
これにより、骨伝導マイクは、頭の大きさや鼻の大きさや位置に個人差があっても、支持ベース部材の上下方向の位置を調整することで、振動センサ１５を鼻部２０５の適切な位置に接触させることができる。従って、骨伝導マイクの装着性の向上が図れる。
【００６７】
また、支持ベース部材に対しセンサ支持部が上下方向に回動可能に連結されてよい。
【００６８】
これにより、骨伝導マイクは、センサ支持部を回動させることで、鼻部２０５のサイズや位置に個人差があっても、振動センサ１５を鼻部の適切な位置に容易に接触させることができる。つまり、骨伝導マイクは、振動センサ１５を鼻部に当てる位置や圧力を調整しやすくなる。
【００６９】
また、センサ支持部は湾曲自在とされており、センサ支持部の中に、振動センサ１５から頭部装着部１０まで信号を伝送する導線２１が通されてよい。
【００７０】
これにより、骨伝導マイクは、センサ支持部が湾曲自在となっているので、センサ支持部の湾曲度合を調整することによって、振動センサ１５の位置や向きを調整することができる。従って、振動センサ１５を鼻部２０５の適切な位置に適切な方向から押し付けることが容易にできるようになる。また、骨伝導マイクは、センサ支持部の中に導線２１を通すことで、導線２１を外から見えないように隠すことができ、振動センサ１５から出ている導線２１をセンサ支持部の長さの範囲で容易に１本に集約することができる。
【００７１】
また、骨伝導マイクは、センサ支持部は、下端部に、下方に延在する２本のアーム１７ａを閉じる方向の付勢力Ｆを発生するクリップ１７を備えてよい。クリップ１７の各アーム１７ａの先端に、鼻部２０５の左右に接触する左右の振動センサ１５が取り付けられてよい。
【００７２】
これにより、骨伝導マイクは、付勢力Ｆを発生する二股のクリップ１７の各アーム１７ａの先端に振動センサ１５を取り付けているので、振動センサ１５を鼻部２０５へ適切な押圧力をもって押し付けることができる。従って、骨伝導マイクは、鼻骨上の皮膚の振動を適切に感度良く拾えるようになる共に、鼻部２０５のサイズに拘わらず、振動センサ１５の感度の個人差を小さくすることができる。
【００７３】
また、上記実施形態の骨伝導ヘッドセット５は、人体の鼻部２０５に体外から接触し鼻骨上の皮膚の振動を電気信号に変換する振動センサ１５と、鼻部２０５より上の人体の頭部２０１に装着される頭部装着部１０と、頭部装着部１０から下方に延びて振動センサ１５を鼻部２０５に向けて支持するセンサ支持部と、頭部装着部１０に連結され、振動により音声信号を出力する骨伝導スピーカ５０と、を備えてよい。
【００７４】
これにより、骨伝導ヘッドセット５は、矯正用メガネや防塵用メガネなどを掛けていても、その上からメガネの邪魔にならないように装着可能である。つまり、骨伝導ヘッドセット５は、装着者がメガネを掛けているか否かに拘わらず、装着可能である。また、骨伝導ヘッドセット５は、振動センサ１５が鼻に当たる位置を調整することにより、メガネを掛けていても、メガネの鼻当て部分に振動センサ１５が干渉することを抑制できる。従って、骨伝導ヘッドセット５は、振動センサ１５の検出精度の低下を抑制できる。また、骨伝導ヘッドセット５は、センサ支持部に調整機能を持たせることにより、振動センサ１５が鼻部２０５に当たる位置を調整することができる。従って、骨伝導ヘッドセット５は、鼻部２０５の位置やサイズに合わせて振動センサ１５を感度の高い位置に密着させることができ、適切に鼻骨上の皮膚の振動をピックアップすることができる。また、周りの音が大きく装着者が聞き取りづらい状況であっても、骨伝導ヘッドセット５は、骨伝導スピーカ５０によって、骨伝導により装着者に目的の音をクリアに伝えることができる。
【産業上の利用可能性】
【００７５】
本開示は、生命体がメガネを装着する場合でも、骨伝導マイクを別途装着でき、鼻骨上の皮膚の振動の検出精度の低下を抑制できる骨伝導マイク及び骨伝導ヘッドセット等に有用である。
【符号の説明】
【００７６】
１，２，３，４  骨伝導マイク
５  骨伝導ヘッドセット
１０  頭部装着部
１１  ヘッドバンド
１１ａ  中央部
１１ｂ  左右方向の端部
１２，３２  支持フレーム
１２ａ  中央部
１２ｂ  左右方向の端部
１３  センサ支持ワイヤ
１５  振動センサ
１６  センサ支持ロッド
１７  クリップ
１７ａ，５１  アーム
２１，２２  導線
２５  無線モジュール
２６  バッテリ
５０  骨伝導スピーカ
２００  装着者（人体）
２０１  頭部
２０２  顔面
２０３  額
２０４  眉間
２０５  鼻部
【図１】
0006986665.tif 000002
【図２】
0006986665.tif 000003
【図３】
0006986665.tif 000004
【図４】
0006986665.tif 000005
【図５Ａ】
0006986665.tif 000006
【図５Ｂ】
0006986665.tif 000007
【図６Ａ】
0006986665.tif 000008
【図６Ｂ】
0006986665.tif 000009
【図７】
0006986665.tif 000010
【図８】
0006986665.tif 000011